【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
有価価値となる紙幣を受け入れて遊技媒体を貸し出す遊技媒体貸出装置と、前記遊技媒体貸出装置に対して使用される識別媒体と、当該識別媒体に対して予め記録された識別情報に関連付けて、前記有価価値の管理をおこなう管理装置と、前記識別媒体を受け入れるとともに、前記遊技媒体の貸出しにともなって生じる残金の精算をおこなう精算装置とを備えた遊技媒体貸出システムであって、
前記遊技媒体貸出装置は、
外部から投入された前記識別媒体の識別情報を読み取る第１識別情報処理手段と、
高額紙幣を含む有価価値の異なる複数種類の紙幣を受け入れ可能な紙幣処理手段と、
前記複数種類の紙幣に価値付けされた有価価値を金額情報として種類別に記憶する金額情報記憶手段と、
前記金額情報記憶手段に記憶された金額情報に基づいて、前記遊技媒体の貸出しをおこなうとともに、当該貸出しにともなって前記有価価値の減算をおこなう制御手段とを備え、
前記管理装置は、
前記識別媒体に記録された識別情報に関連付けて、遊技にともなって減算した前記有価価値の残金情報を記憶するとともに格納する残金情報管理テーブルを備え、
前記精算装置は、
外部から投入された前記識別媒体の識別情報を読み取る第２識別情報処理手段と、
前記識別媒体の受け入れ時に、当該識別媒体に記録された識別情報を前記管理装置に問い合わせるとともに、前記残金情報管理テーブルに格納された複数の識別情報のうちから一致する識別情報を抽出し、当該識別情報に関連付けられた残金情報を取得し、当該残金情報に基づいて精算金を払い出す精算制御手段と、
を備えることを特徴とする遊技媒体貸出システム。
【請求項２】
前記遊技媒体貸出装置は、前記識別媒体の受け入れ時に、前記第１識別情報処理手段により読み取った識別情報をキーとして前記管理装置に問い合わせをおこなうとともに、前記残金情報管理テーブルの中から前記識別情報に関連付けられた残金情報を取得し、取得された残金情報に基づいて遊技媒体の貸し出しをおこなうことを特徴とする請求項１に記載の遊技媒体貸出システム。
【請求項３】
前記第１識別情報処理手段および前記第２識別情報処理手段は、遊技客が所有する識別媒体に記録された識別情報を読み取る機能を有し、当該識別媒体には、個人認証が可能な会員カード、キャシュカード、クレジットカードなどが適用可能であることを特徴とする請求項１または２に記載の遊技媒体貸出システム。
【請求項４】
前記第１識別情報処理手段および前記第２識別情報処理手段は、遊技客が有する個別の生体情報を識別情報とする生体情報照合装置により構成されるとともに、前記第１識別情報処理手段は、前記生体情報を読み取るとともに、登録をおこなう登録処理機能を有し、前記第２識別情報処理手段は、前記精算装置による精算処理時に、前記生体情報を読み取るとともに、当該生体情報と前記第１識別情報処理手段により登録された生体情報との照合をおこなう生体情報照合機能を備えることを特徴とする請求項１、２または３に記載の遊技媒体貸出システム。
【請求項５】
前記生体情報は、遊技客の指紋情報であることを特徴とする請求項４に記載の遊技媒体貸出システム。
【請求項６】
前記第１識別情報処理手段は、前記識別媒体に対する書き込み手段をさらに備え、当該書き込み手段は、前記識別情報に関連付けて残金情報を書き込む機能を有し、前記第２識別情報処理手段は、前記識別媒体の受け入れ時に、当該識別媒体に記録された前記残金情報を識別情報と関連付けて読み取る読み取り手段をさらに備えることを特徴とする請求項１〜３のいずれか一つに記載の遊技媒体貸出システム。
【請求項７】
前記第１識別情報処理手段は、前記識別媒体に対する書き込み手段をさらに備え、当該書き込み手段は、前記識別情報に関連付けて個別の遊技客が遊技をおこなった遊技機の番号、遊技月日、遊技時間、遊技媒体獲得数などの特定個別情報を書き込む機能を有し、前記第２識別情報処理手段は、前記識別媒体の受け入れ時に、当該識別媒体に記録された前記特定個別情報を識別情報と関連付けて読み取る読み取り手段をさらに備えることを特徴とする請求項１〜３のいずれか一つに記載の遊技媒体貸出システム。
【請求項８】
前記第１識別情報処理手段により書き込んだ前記特定個別情報と、前記第２識別情報処理手段により読み込んだ前記特定個別情報との照合をおこなう特定個別情報照合手段をさらに備えることを特徴とする請求項７に記載の遊技媒体貸出システム。
【請求項９】
前記第１識別情報処理手段は、前記識別媒体に対する書き込み手段をさらに備え、当該書き込み手段は、前記識別媒体の識別情報に関連付けて設定した所定のフラグを付与する機能を有し、前記第２識別情報処理手段は、前記識別媒体の受け入れ時に、当該識別媒体に記録された前記フラグを識別情報と関連付けて読み取る読み取り手段と、前記フラグの有無を判定する判定手段とをさらに備えることを特徴とする請求項１〜３のいずれか一つに記載の遊技媒体貸出システム。
【請求項１０】
前記精算装置は、前記精算制御手段による精算の内容を遊技客に報知する精算内容報知手段をさらに備えたことを特徴とする請求項１〜９のいずれか一つに記載の遊技媒体貸出システム。
【請求項１１】
前記管理装置は、前記遊技媒体貸出装置から、前記第１識別情報処理手段が読み取った識別媒体の識別情報と、前記制御手段により減算された前記有価価値の金額情報を取得する取得手段と、前記取得手段により取得した内容に基づいて前記残金情報管理テーブルが管理する残金情報を更新する更新手段をさらに備えたことを特徴とする請求項１〜１０のいずれか一つに記載の遊技媒体貸出システム。
【手続補正２】
【補正対象書類名】明細書
【補正対象項目名】００１５
【補正方法】変更
【補正の内容】
【００１５】
請求項６に係る遊技媒体貸出システムは、請求項１〜３のいずれか一つに記載の発明において、前記第１識別情報処理手段は、前記識別媒体に対する書き込み手段をさらに備え、当該書き込み手段は、前記識別情報に関連付けて残金情報を書き込む機能を有し、前記第２識別情報処理手段は、前記識別媒体の受け入れ時に、当該識別媒体に記録された前記残金情報を識別情報と関連付けて読み取る読み取り手段をさらに備えることを特徴とする。
【手続補正３】
【補正対象書類名】明細書
【補正対象項目名】００１６
【補正方法】変更
【補正の内容】
【００１６】
請求項７に係る遊技媒体貸出システムは、請求項１〜３いずれか一つに記載の発明において、前記第１識別情報処理手段は、前記識別媒体に対する書き込み手段をさらに備え、当該書き込み手段は、前記識別情報に関連付けて個別の遊技客が遊技をおこなった遊技機の番号、遊技月日、遊技時間、遊技媒体獲得数などの特定個別情報を書き込む機能を有し、前記第２識別情報処理手段は、前記識別媒体の受け入れ時に、当該識別媒体に記録された前記特定個別情報を識別情報と関連付けて読み取る読み取り手段をさらに備えることを特徴とする。
【手続補正４】
【補正対象書類名】明細書
【補正対象項目名】００１８
【補正方法】変更
【補正の内容】
【００１８】
請求項９に係る遊技媒体貸出システムは、請求項１〜３のいずれか一つに記載の発明において、前記第１識別情報処理手段は、前記識別媒体に対する書き込み手段をさらに備え、当該書き込み手段は、前記識別媒体の識別情報に関連付けて設定した所定のフラグを付与する機能を有し、前記第２識別情報処理手段は、前記識別媒体の受け入れ時に、当該識別媒体に記録された前記フラグを識別情報と関連付けて読み取る読み取り手段と、前記フラグの有無を判定する判定手段とをさらに備えることを特徴とする。
【手続補正５】
【補正対象書類名】明細書
【補正対象項目名】００２０
【補正方法】変更
【補正の内容】
【００２０】
請求項１１に係る遊技媒体貸出システムは、請求項１〜１０のいずれか一つに記載の発明において、前記管理装置は、前記遊技媒体貸出装置から、前記第１識別情報処理手段が読み取った識別媒体の識別情報と、前記制御手段により減算された前記有価価値の金額情報を取得する取得手段と、前記取得手段により取得した内容に基づいて前記残金情報管理テーブルが管理する残金情報を更新する更新手段をさらに備えたことを特徴とする。
【手続補正６】
【補正対象書類名】明細書
【補正対象項目名】０１３３
【補正方法】変更
【補正の内容】
【０１３３】
請求項１１に係る発明によれば、前記管理装置は、前記遊技媒体貸出装置から、前記第１識別情報処理手段が読み取った識別媒体の識別情報と、前記制御手段により減算された前記有価価値の金額情報を取得する取得手段と、前記取得手段により取得した内容に基づいて前記残金情報管理テーブルが管理する残金情報を更新する更新手段をさらに備えたので、残金情報の信頼性が向上するとともに、最新の残金情報に基づいて遊技媒体の貸し出しを正確におこなうことができるという効果を奏する。